(57)【要約】【課題】接着テープの前方移送時,  接着テープが移送ローラーと出口側案内ローラーとの間の空間に巻き込まれないようにするとともに接着テープの後方移送時接着テープが移送ローラーの後方空間に巻き込まれないように構成された自動テープデイスペンサーを提供する。【解決手段】移送ローラーと案内ローラーがそれぞれ円滑に回転されるようにしながら，移送ローラーと案内ローラーとの間に空間が生じないようにするとともに,  後進するテープが移送ローラーの後方側上半部で支えられるようにすることで,接着テープが自動テープデイスペンサーに装着されるか接着テープが前進される時に、接着テープが移送ローラーと案内ローラーとの間に巻き込まれないようになるばかりでなく,  接着テープを外に取リ出すために後進させる時,  接着テープが移送ローラー後方の空間に巻き込まれないようになり,テープの前進および後進動作が円滑になる。
2006510558.tif 000002
【特許請求の範囲】
【請求項１】
移送ローラーの上部にはピンチ・ローラーが密接に設置されており、前記移送ローラーの前方出口側には案内ローラーが前記移送ローラーと平行に設置されており、前記案内ローラーの上部には弾性加圧部が密接に設置されており、前記案内ローラーの前方出口側にはカッター部が設置されており、前記移送ローラー、案内ローラーおよびカッター部は駆動源および動力伝達手段に連結され、制御部の制御によって作動するように構成されており、前記構成要素などはフレーム内に設置されており、前記フレームの外部はケースで取り囲まれている自動テープデイスペンサーにおいて、前記移送ローラー１０にはその軸１１の全長に亘って均等な間隔に配置され、前記軸１１から放射状に外方向へ同じ長さだけ突出している複数の移送側リング形状部１３が形成されており、前記案内ローラー３０にはその軸３１の全長に亘って均等な間隔で配置され、前記軸３１から放射状に外方向へ同じ長さだけ突出している複数の案内側リン形状部３３が形成されており、前記移送側リング形状部１３の間隔は前記案内側リング形状部３３の幅より大きく、前記案内側リング形状部３３の間隔は前記移送側リング形状部１３の間隔より大きく、前記移送ローラー１０と前記案内ローラー３０は前記移送側リング形状部１３と前記案内側リング形状部３３が交互に配置されるように隣接して設置され、前記複数の移送側リング形状部１３などの間に挿入される複数の突出ピン６１などが一側に形成された櫛状のテープ巻き防止具６０が前記移送ローラー１０の後方側上半部に設置されていることを特徴とする自動テープデイスペンサー。 
【請求項２】
前記移送ローラー１０の移送側リング形状部１３はアルミニウム材質であり、その外周面がローレット処理されており、前記ピンチ・ローラー２０はウレタン材質であり、前記案内ローラー３０の案内側リング形状部３３はシリコン材質であり、その外周面がローレット処理されていることを特徴とする請求項１に記載の自動テープデイスペンサー。
【請求項３】
前記ケース３の両側壁中一側上段には凹部３ａが形成されていることを特徴とする請求項１に記載の自動テープデイスペンサー。
【発明の詳細な説明】
【技術分野】
【０００１】
本発明は自動テープデイスペンサーに関する。より詳しく言えば、接着テープの前方移送時、接着テープが移送ローラーと出口側案内ローラーとの間の空間に巻き込まれないようにするとともに、接着テープの後方移送時、接着テープが移送ローラーの後方空間に巻き込まれないように構成された自動テープデイスペンサーに関する。
【背景技術】
【０００２】
一般に、自動テープデイスペンサーは移送ローラー、ピンチ・ローラー、案内ローラー、弾性加圧部、カッター部、駆動源、  動力伝達手段、制御部などで構成されており、これらの構成要素などはフレーム内に設置されている。移送ローラーの上部にはピンチ・ローラーが密接に設置されており、移送ローラーの前方出口側には案内ローラーが設置されている。案内ローラーの上部には弾性加圧部が密接に設置されており、案内ローラーの前方出口側にはカッター部が設置されている。移送ローラー、案内ローラーおよびカッター部は、駆動源および動力伝達手段に連結され制御部の制御によって作動するようになっている。フレームの外部にはケースが取り付けられており、ケースの外面には操作部が設置されている。操作部は電源スイッチ、前進キー、後進キー、切断キー、切断長さ調整キー、動作選択キーなどからなっている。さらに、自動テープデイスペンサーの出口にはセンサーが取り付けられている。
【０００３】
使用者が電源スイッチを入れてから前記移送ローラーとピンチ・ローラーとの間に接着テープを挿入した後、前進キーを押すと、移送ローラーおよび案内ローラーが正方向に回転するようになる。移送ローラーとピンチ・ローラーの間に挿入された接着テープは、前記移送ローラーおよびピンチ・ローラーによって前進し、案内ローラーおよび弾性加圧部によって案内されながらカッター部で所定の長さに切断された後、自動テープデイスペンサーの出口に保持される。ピンチ・ローラーはその上段に設置されたスプリングによって移送ローラーに対して弾性的に接するようになっており、弾性加圧部は、その上段に設置された圧力調整部によって案内ローラーに加える圧力が調整されるようになっている。
【０００４】
使用者が動作選択キーを押してデイスペンサーの動作を自動切断方式に選択した場合には、センサーがデイスペンサー出口におけるテープの有無を判別してテープが無いと判別すれば、テープは再び設定された長さ分だけ再び切断され、出口側に保持される。使用者が動作選択キーを押してデイスペンサーの動作を手動切断方式に選択した場合には、使用者が前進キーと切断キーを操作してテープを希望する長さに一つずつ切断することもできる。
【０００５】
さらに、使用者が接着テープを自動テープデイスペンサーから取り出そうとする時には、使用者が後進キーを押すと、移送ローラーおよび案内ローラーが逆方向に回転するようになり、案内ローラーおよび移送ローラーとピンチ・ローラーとの間に掛けられている接着テープは、前記移送ローラーおよびピンチ・ローラーと案内ローラーによって後進しながらテープロールに巻き戻されるようになる。
【０００６】
ところが、従来の自動テープデイスペンサーは移送ローラーと案内ローラーとの間に空間があるので、接着テープが自動テープデイスペンサーに装着されるか接着テープが前進される時に、接着テープが移送ローラーと案内ローラーとの間の空間に巻き込まれる問題がある。
【０００７】
さらに、従来の自動テープデイスペンサーでは接着テープを外に取り出すために後進させる時、接着テープが移送ローラーの後方空間に巻き込まれる問題がある。
【発明の開示】
【発明が解決しようとする課題】
【０００８】
本発明は上記のような問題点を解決するためのものであって、移送ローラーと案内ローラーがそれぞれ円滑に回転するようにしながらも移送ローラーと案内ローラーとの間に空間が生じないようにし、後進するテープが移送ローラーの後方側上半部で支えられるようにする自動テープデイスペンサーを提供することにその目的がある。
【課題を解決するための手段】
【０００９】
本発明は前記目的を達成するために、移送ローラー１０の上部にはピンチ・ローラー２０が密接に設置されており、前記移送ローラー１０の前方出口側には案内ローラー３０が前記移送ローラー１０と平行に設置されている。前記案内ローラー３０の上部には弾性加圧部４０が密接に設置されており、前記案内ローラー３０の前方出口側にはカッタ-部５０が設置されていて、前記移送ローラー１０、案内ローラー３０およびカッター部５０は、駆動源および動力伝達手段に連結され制御部の制御によって作動するように構成されている。前記構成要素などはフレーム１内に設置されており、前記フレーム１の外部はケース３で取り囲まれている。自動テープデイスペンサーにおいて、前記移送ローラー１０にはその軸１１の全長に亘って均等な間隔で配置され、前記軸１１から放射状に外方向へ同じ長さで突出している複数の移送側リング形状部１３などが形成されている。前記案内ローラー３０にはその軸３１の全長に亘って均等な間隔で配置され、前記軸３１から放射状に外方向へ同じ長さで突出している複数の案内側リング形状部３３などが形成されている。前記移送側リング形状部１３の間隔は、前記案内側リング形状部３３の幅より大きく、前記案内側リング形状部３３の間隔は前記移送側リング形状部１３などの間の間隔より大きい。前記移送ローラー１０と前記案内ローラー３０は、前記移送側リング形状部１３と前記案内側リング形状部３３が交互に配置されるように隣接して設置され、前記複数の移送側リング形状部１３の間に挿入される複数の突出ピン６１などが一側に形成された櫛状のテープの巻き防止具６０が前記移送ローラー１０の後方側上半部に設置されるのを特徴とする。
【００１０】
本発明の他の目的を達成するために、前記移送ローラー１０の移送側リング形状部１３はアルミニウム材質であり、その外周面がローレット（ｋｎｕｒｌｉｎｇ）処理されている。また、前記ピンチ・ローラー２０はウレタン材質であり、前記案内ローラー３０の案内側リング形状部３３はシリコン材質であって、その外周面がローレット処理されることを特徴とする。
【００１１】
本発明の他の目的を達成するために、前記ケース３の両側壁中一側上段には凹部３ａが形成されたことを特徴とする。
【発明の実施の形態】
【００１２】
以下、本発明に基づく好ましき実施例を添付の図面を参照して詳しく説明する。
【００１３】
本発明の実施例による自動テープデイスペンサーは図１ないし図６に示されている。図示されたように、移送ローラー１０、ピンチ・ローラー２０、案内ローラー３０、弾性加圧部４０、カッター部５０などの構成要素などがフレーム１内に設置されたものである。フレーム１の外部にはケース３が取り付けられている。
【００１４】
移送ローラー１０の上部にはピンチ・ローラー２０が密接に設置されている。移送ローラー１０の外周には複数の移送側リング形状部１３などが形成されている。複数の移送側リング形状部１３は、移送ローラー１０の軸１１の全長に亘って同等な間隔に配置されており、この軸１１から放射状に外方向へ同じ長さで突出している。
【００１５】
さらに、移送ローラー１０の前方出口側には案内ローラー３０が、移送ローラー１０と平行に設置されており、 案内ローラー３０の上部には弾性加圧部４０が密接に設置されている。案内ローラー３０の外周には複数の案内側リング形状部３３などが形成されている。複数の案内側リング形状部３３などは、案内ローラー３０の軸３１の全長に亘って均等な間隔で配置され、この軸３１から放射状に外方向へ同じ長さで突出している。
【００１６】
移送ローラー１０と案内ローラー３０は、それぞれの移送側リング形状部１３と案内側リング形状部３３が交互に配置されるように隣接して設置されている。このように移送側リング形状部１３と案内側リング形状部３３が交互に配置されると、移送ローラー１０と案内ローラー３０がそれぞれ円滑に回転しながらも移送ローラー１０と案内ローラー３０との間に空間が生じないので、移送ローラー１０とピンチ・ローラー２０との間を通過したテープＴが移送ローラー１０と案内ローラー３０との間に巻き込まれなくなる。
【００１７】
そして、移送側リング形状部１３と案内側リング形状部３３を交互に配置するためには、移送側リング形状部１３の間隔が案内側リング形状部３３の幅より大きくなければならないし、案内側リング形状部３３の間隔が移送側リング形状部１３の間隔より大きくなければならない。
【００１８】
移送ローラー１０と案内ローラー３０は、駆動源５および動力伝達手段６に連結され、制御部７の制御によって作動するように駆動されている。
【００１９】
案内ローラー３０の前方出口側にはカッター部５０が設置されており、  カッター部５０は、カッター駆動源(未図示)およびカッター作動部(未図示)に連結され、制御部７の制御によって作動するように構成されている。制御部７には入力信号端子８が形成されている。
【００２０】
一方、  移送ローラー１０の移送側リング形状部１３はアルミニウム材質であり、その外周面がローレット（ｋｎｕｒｌｉｎｇ）処理されているので、テープが移送ローラー１０に巻かれて移送ローラー１０と一緒に回るのが防止される。また、ピンチ・ローラー２０はウレタン材質であるので、テープが滑らないようにしてテープが正確に誘導されるようにする。また、案内ローラー３０の案内側リング形状部３３はシリコン材質であり、  その外周面がローレット処理されているので静電気発生が少ないため、ビニルテープＴが案内ローラー３０に張り付いて案内ローラー３０と一緒に回らないようになる。
【００２１】
そして、移送ローラー１０の後方側上半部には、櫛状のテープ巻き防止具６０が設置されており、テープ巻き防止具６０の一側には複数の突出ピン６１などが形成されている。この複数の突出ピン６１などは移送ローラー１０の複数の移送側リング形状部１３などの間に挿入される。よって、使用者が直接テープを自動テープデイスペンサーから取り出そうと後進キーを押して、テープＴを後進させる時、テープＴが移送ローラー１０の後方側上半部でテープ巻き防止部６０によって支えられるので、テープＴが移送ローラー１０の後方空間に巻き込まれないようになる。
【００２２】
さらに、ケース３の両側壁中左側の上段には凹部３ａが形成されている。この凹部３ａは、使用者がテープＴを移送ローラー１０と案内ローラー３０との間に挿入する作業を容易にするためのものであって、凹部３ａがケース３の一側壁に形成されているので、使用者の手が移送ローラー１０と案内ローラー３０の後方で容易に動くことができる．ケース３の出口側には出口用蓋４が形成されている。
【産業上の利用可能性】
【００２３】
本発明の自動テープデイスペンサーによれば、移送ローラーと案内ローラーがそれぞれ円滑に回転されるようにしながらも移送ローラーと案内ローラーとの間に空間が生じないようにするとともに、後進するテープが移送ローラーの後方側上半部で支えられるようになっているので、接着テープが自動テープデイスペンサーに装着されるか接着テープを前進させる時、接着テープが移送ローラーと案内ローラーとの間に巻き込まれなくなるばかりでなく、接着テープを外に取り出すために後進させる時、接着テープが移送ローラーの後方空間に巻き込まれないようになり、テープの前進および後進作動が円滑になる。
【図面の簡単な説明】
【００２４】
【図１】本発明に基づく自動テープデイスペンサーの側面図。
【図２】本発明に基づく自動テープデイスペンサーのローラー部の平面図。
【図３】本発明に基づく自動テープデイスペンサーを上側から示した斜視図。
【図４】本発明に基づく自動テープデイスペンサーを後方から示した斜視図。
【図５】本発明に基づく自動テープデイスペンサーを前方から示した斜視図。
【図６】本発明に基づく自動テープデイスペンサーにケースを装着した状態を示              した斜視図。
【符号の説明】
【００２５】
１    フレーム
３    ケース
３ａ    凹部
４    出口用蓋
５    駆動源
６    動力伝達部
７    制御部
８    入力信号端子
１０    移送ローラー
１１    軸
１３    移送側リング形状部
２０    ピンチ・ローラー
３０    案内ローラー
３１    軸
３３    案内側リング形状部
４０    弾性加圧部
５０    カッター部
６０    巻き防止具
６１    突出ピン
Ｔ      テープ
【図１】
2006510558.tif 000003
【図２】
2006510558.tif 000004
【図３】
2006510558.tif 000005
【図４】
2006510558.tif 000006
【図５】
2006510558.tif 000007
【図６】
2006510558.tif 000008
【国際調査報告】
2006510558.tif 000009
2006510558.tif 000010